(57)【要約】【課題】本発明は収納ケースに収納された被収納体を短時間で使用可能な状態にすることを課題とする。【解決手段】被収納体を収納する収納空間を有する収納ケース１０であって、収納空間１３に設けられ、被収納体１３を昇降させる昇降機構７０と、を備え、昇降機構７０は、収納空間１３に収納された被収納体を上部開口の上方に上昇させる動作をガイドする。【選択図】図３
2014164255.tif 000002
【特許請求の範囲】
【請求項１】
被収納体を収納する収納空間を有する収納ケースであって、
前記被収納体を昇降させる昇降機構を前記収納空間に設け、
前記昇降機構は、前記収納空間に収納された前記被収納体を前記収納空間の上部開口の上方に上昇させる動作をガイドすることを特徴とする収納ケース。
【請求項２】
前記昇降機構は、前記被収納体が載置された昇降部と、
前記昇降部を昇降動作にガイドするガイド部と、
前記被収納体が所定高さ位置に上昇したときに前記昇降部を係止するロック機構と、
を備えたことを特徴とする請求項１に記載の収納ケース。
【請求項３】
前記ロック機構は、前記被収納体が所定高さ位置に上昇したときに前記昇降部を係止する係止部材と、
前記昇降部を降下させる際に前記係止部材を係止解除させる操作ノブとを有することを特徴とする請求項１又は２に記載の収納ケース。
【請求項４】
前記昇降機構を駆動する駆動手段と、
前記駆動手段を駆動又は停止させる制御手段と、
を有することを特徴とする請求項１〜３の何れかに記載の収納ケース。
【請求項５】
前記収納ケースの上部に把持部を設けたことを特徴とする請求項１〜４の何れかに記載の収納ケース。
【請求項６】
前記収納空間の上部開口を開閉する蓋体をさらに有し、
前記昇降機構は、前記蓋体が開放された状態で前記収納空間に収納された前記被収納体を前記上部開口の上方に上昇させる動作をガイドすることを特徴とする請求項１〜５の何れかに記載の収納ケース。
【請求項７】
前記収納ケースの底部に車輪を設けことを特徴とする請求項１〜６の何れかに記載の収納ケース。
【請求項８】
前記収納空間は、
前記被収納体を収納する第１収納室と、
前記被収納体に電源供給を行うバッテリーを収納する第２収納室と、
を有することを特徴とする請求項１〜７の何れかに記載の収納ケース。
【請求項９】
前記被収納体は、投写面に画像を投写するプロジェクターであることを特徴とする請求項１〜８の何れかに記載の収納ケース。
【請求項１０】
前記プロジェクターは、上方に向けて画像を投写する投写部を有することを特徴とする請求項９に記載の収納ケース。
【発明の詳細な説明】
【技術分野】
【０００１】
本発明は被収納体を収納する収納ケースに関する。
【背景技術】
【０００２】
例えば、電子機器などの被収納体を収納する収納ケースとして、ケース本体と蓋体とをヒンジにより開閉可能に連結し、ケース本体内部に伸縮可能な脚とプロジェクターとが収納される各収納スペースを有する収納ケースがある（例えば、特許文献１参照）。この収納ケースは、被収納体としてのプロジェクターを収納して運搬できると共に、プロジェクターを使用する際は、ケース本体及び蓋体を開いた状態にして各脚を伸ばすことで収納ケースをプロジェクターの載置台として使用することが可能な構成になっている。
【発明の概要】
【発明が解決しようとする課題】
【０００３】
しかしながら、上記特許文献１の収納ケースは、プロジェクターの載置台として使用する場合に高さ調整ができないため、画像を投写されるスクリーンまたは白い壁面の高さ位置にあわせて投写角度を調整することができなかった。さらに、プロジェクターを使用する場合、ケース本体に収納された脚を引き出してケース本体の背面と蓋体の背面とが同じ高さとなるよう脚の長さを調整する作業もあるため、使用するまでの準備操作に手間がかかり、例えば、訪問先で使用する場合に準備に時間がかかり、使用開始時間が遅れるという問題があった。尚、プロジェクター以外の電子機器などを被収納体とする場合も上記と同様な問題が生じる。
【０００４】
そこで、本発明は上記事情に鑑み、上記課題を解決した収納ケースの提供を目的とする。
【課題を解決するための手段】
【０００５】
上記課題を解決するため、本発明は以下のような手段を有する。
【０００６】
本発明は、被収納体を収納する収納空間を有する収納ケースであって、
前記被収納体を昇降させる昇降機構を前記収納空間に設け、
前記昇降機構は、前記収納空間に収納された前記被収納体を前記収納空間の上部開口の上方に上昇させる動作をガイドすることを特徴とする。
【発明の効果】
【０００７】
本発明によれば、収納ケースに収納された被収納体を短時間で使用可能な状態にすることが可能になる。
【図面の簡単な説明】
【０００８】
【図１】本発明による収納ケースの実施形態１を示す斜視図である。
【図２】プロジェクターの構成を示す図である。
【図３】収納ケースに収納されたプロジェクターを上昇させた使用状態を示す斜視図である。
【図４】収納ケースの昇降機構を示す側断面図である。
【図５】昇降機構の載置部を上方からみた平面図である。
【図６】載置部を背面側からみた図である。
【図７】載置部のロック機構を示す側断面図である。
【図８】プロジェクターの高さ調整操作を説明するための側面図である。
【図９】プロジェクターを上昇させて画像を投写する状態を示す斜視図である。
【図１０】実施形態２の昇降機構を示す背面図である。
【図１１】実施形態３の昇降機構を示す背面図である。
【発明を実施するための形態】
【０００９】
以下、図面を参照して本発明を実施するための形態について説明する。
【００１０】
〔実施形態１〕
図１は本発明による収納ケースの実施形態１を示す斜視図である。図１（Ａ）（Ｂ）に示されるように、収納ケース１０は、外装が樹脂材又は樹脂シートを縫製したもので、防水・防滴仕様になっている。また、ケース本体１２は、内部に被収納体としてプロジェクター２０及び各付属品３０、メインバッテリー４０等が収納される収納空間１３を有する。また、収納空間１３は、プロジェクター２０が収納される第１収納室１３ａと、メインバッテリー４０が収納される第２収納室１３ｂとを有する。尚、被収納体としてプ、プロジェクター以外の電子機器、あるいはその他の機器などを収納することも可能である。
【００１１】
ケース本体１２の底部には、左右両側に車輪５０が設けられ、ケース本体１２の上部中央には、搬送時に把持される把持部６０が設けられている。そのため、収納ケース１０は、収納空間１３に被収納体を収納させた場合、重さが増大するものの車輪５０の直径が比較的大径に形成されているので、段差のある場所でも把持部６０を把持して容易に搬送することができる。
【００１２】
また、収納ケース１０は、ケース本体１２の前側に背負う場合に使用される肩ベルト１４が設けられている。そのため、例えば、未舗装道路を通行する場合、あるいは自転車やオートバイなどの２輪車に乗って移動する場合は、運搬者が左右の肩ベルト１４を両肩にかけて収納ケース１０を背負って運搬することも可能である。
【００１３】
さらに、ケース本体１２の背面には、バッテリーに接続された電気出力用コンセント１６が設けられている。この電気出力用コンセント１６は、ケース本体１２の内部に収納された機器（被収納体）以外の電子機器（例えば、パーソナルコンピュータやタブレット端末）を使用する場合の電源として使用される。
【００１４】
尚、上記車輪５０及び把持部６０は、利用者の要望に応じて適宜取り付けるようにしても良い。
【００１５】
〔プロジェクター２０の構成〕
図２はプロジェクター２０の構成を示す図である。図２（Ａ）〜（Ｃ）に示されるように、プロジェクター２０は、小型化及び軽量化された移動可能な構成である。このプロジェクター２０は、筐体２１の上面２１ａに画像を投写するための光学系ユニットを有する投写部２２及び各種操作スイッチ２３が設けられ、筐体２１の右側面２１ｂには排熱用開口２４及び各種接続コネクタを有する接続部２５が設けられている。
【００１６】
また、プロジェクター２０は、投写部２２が上面に配置されているため、スクリーン又は白い壁に近接した位置から上方に向けて画像を投写することができる。尚、プロジェクター２０は、投写部２２が上面に配置されている方式のものに限らず、他の方式（例えば、前方に向けて投写する方式のもの）でも良い。
【００１７】
〔プロジェクター２０の使用状態〕
図３は収納ケース１０に収納されたプロジェクター２０を上昇させた使用状態を示す斜視図である。図３に示されるように、収納ケース１０は、ケース本体１２の上部開口を塞ぐ蓋体１８を開くことで収納空間１３の上方及び背面側が開放され、内部に収納されたプロジェクター２０が露出される。蓋体１８は、ケース本体１２にファスナー又はホック、ボタンなどの締結部材が縫いつけてあり、開閉可能に取り付けられている。また、蓋体１８の裏面には、ケーブル類等の小物を収納する収納ポケット１８ａが設けられている。尚、上記蓋体１８は、ケース本体１２の上部開口を塞ぐ必要がない場合、外しても良い。
【００１８】
また、ケース本体１２の内部には、プロジェクター２０が載置された昇降部７２の昇降をガイドする手動式の昇降機構７０が設けられている。プロジェクター２０は、昇降部７２に載置された状態で昇降させられる。ケース本体１２の収納空間１３に収納されたプロジェクター２０を使用する場合、昇降部７２を上方に移動させてプロジェクター２０を投写可能な高さ位置に保持させる。尚、昇降機構７０は、後述するように昇降部７２の昇降動作をガイドしており、昇降部７２が投写可能な高さ位置に達したとき、当該昇降部７２をロックするロック機構を有する。
【００１９】
さらに、収納空間１３の底部に収納されたソーラーパネルなどの各付属品３０、メインバッテリー４０、バッテリーカートリッジ４２は、蓋体１８を開放することで取出し可能になる。また、プロジェクター２０は、電源ケーブル２６がメインバッテリー４０に接続されており、昇降部７２が上昇して投写高さ位置にロックされると、投写可能になる。メインバッテリー４０は充電式バッテリーでプロジェクター２０の電源となると共に、投写画像を入力するパーソナルコンピュータの電源としても使用される。また、収納空間１３に、予備電源として複数のバッテリーカートリッジ４２も収納されている。そのため、メインバッテリー４０の残量が低下した場合には、バッテリーカートリッジ４２からの電源供給により投写を継続することができ、その間にメインバッテリー４０を充電する。
【００２０】
〔昇降機構７０の構成〕
図４は収納ケース１０の昇降機構７０を示す側断面図である。図５は昇降機構７０の昇降部７２を上方からみた平面図である。図４及び図５に示されるように、昇降機構７０は、昇降部７２と、支柱７４と、ガイド部７６と、ロック機構８０とを有する。昇降部７２は、プロジェクター２０が載置される載置部７２ａを有し、支柱７４に嵌合するガイド部７６が一体に設けられている。
【００２１】
支柱７４は、収納空間１３の内壁に沿うように起立しており、下端がケース本体１２の底部に結合され、上端がケース本体１２の上方に突出している。また、支柱７４は、横幅方向の幅広い形状に形成された中空部７４ａを有する中空四角形状に形成されており、中空部７４ａには把持部６０に結合された板状の摺動部６２が挿通されている。尚、把持部６０は、摺動部６２が支柱７４の中空部７４ａを摺動可能に嵌合されているので、摺動部６２が支柱７４の中空部７４ａを摺動して上下方向の高さ位置を調整される。
【００２２】
また、ガイド部７６は、支柱７４にガイドされて昇降することができる。ガイド部７６は、上下方向に延在するガイド面７６ａを有し、当該ガイド面７６ａが支柱７４に当接することで昇降部７２の載置部７２ａを水平状態に保持する。
【００２３】
さらに、ロック機構８０は、昇降部７２の下面側に設けられ、昇降部７２が床面から高さＨ１の収納位置のとき、または、昇降部７２が床面から高さＨ２の上昇位置（投写可能高さ位置）のときに昇降部７２を支柱７４に対してロックする。
【００２４】
〔ロック機構８０の構成〕
図６は昇降部７２を背面側からみた図である。図７は昇降部７２のロック機構８０を示す側断面図である。図６及び図７（Ａ）に示されるように、昇降部７２は、支柱７４に対してロック（固定）するロック機構８０を有する。ロック機構８０は、昇降部７２の下面側中央に配された凹部７２ｃに設けられた係止部材８２と、係止部材８２をＸ１方向に付勢するコイルバネ（付勢部材）８４と、係止部材８２の端部に設けられた操作ノブ８６を有する。
【００２５】
支柱７４及び支柱７４の中空部７４ａに挿通された摺動部６２は、下側ロック位置（床面からの高さＨ１）に設けられた第１の係止孔７４ｃ、６２ａと、上側ロック位置（床面からの高さＨ２）に設けられた第２の係止孔７４ｄ、６２ｂとを有する。
【００２６】
係止部材８２は、例えば、金属材などの剛性を有する材料による板状に形成されており、先端８２ａが面取りされている。また、係止部材８２は、昇降部７２の下面に設けられた保持部７２ｄ、７２ｅによりＸ１、Ｘ２方向に摺動可能に保持されている。また、保持部７２ｄには、第１のバネ係止部７２ｆが設けられ、係止部材８２に下面には第２のバネ係止部８２ｂが設けられている。
【００２７】
コイルバネ８４は、一端が固定側の第１のバネ係止部７２ｄに係止され、他端が可動側の第２のバネ係止部８２ｂに係止されており、係止部材８２をＸ１方向に付勢している。
【００２８】
係止部材８２は、コイルバネ８４によりＸ１方向に付勢されており、先端８２ａがガイド部７６の背面側に形成された開口部７６ｂを貫通して支柱７４及び中空部７４ａに挿通された摺動部６２の第１の係止孔７４ｃ、６２ａ又は第２の係止孔７４ｄ、６２ｂに挿通される。これにより、プロジェクター２０が載置された昇降部７２は、任意の高さ位置（下側ロック位置又は上側ロック位置）に係止される。
【００２９】
すなわち、支柱７４及び摺動部６２に設けられた第１の係止孔７４ｃ、６２ａ又は第２の係止孔７４ｄ、６２ｂに係止部材８２の先端８２ａを挿通させることで昇降部７２に載置されたプロジェクター２０を所定高さ位置に保持（固定）できる。
【００３０】
図７（Ｂ）に示されるように、操作者が操作ノブ８６をＸ２方向に引くと、係止部材８２が同方向に移動すると共に先端８２ａが第１の係止孔７４ｃ、６２ａ又は第２の係止孔７４ｄ、６２ｂから離間して昇降部７２に対する係止が解除される。これで昇降部７２及びプロジェクター２０は、上下方向への移動が可能な状態になる。
【００３１】
また、操作ノブ８６をＸ２方向に引くと、コイルバネよりなるコイルバネ８４がＸ２方向に伸ばされてＸ１方向への付勢力が増大する。このロック解除状態において、操作者は、昇降部７２を保持しながらプロジェクター２０を上昇又は降下させる。例えば、プロジェクター２０が画像を投写させるのに最適な高さ位置に達したとき、操作ノブ８６に対する引張り操作を解除する。これで、係止部材８２は、コイルバネ８４のバネ力によりＸ１方向に摺動して先端８２ａを支柱７４及び摺動部６２の第２の係止孔７４ｄ、６２ｂに挿入させる（図３（Ａ）参照）。
【００３２】
このとき、係止部材８２の先端８２ａは、摺動部６２の第２の係止孔６２ｂ及び摺動部６２の前後に配された支柱７４の第２の係止孔７４ｄを貫通するため、昇降部７２及びプロジェクター２０の重量を支えられるのに十分な強度を有する。
【００３３】
尚、本実施形態では、昇降部７２を下側ロック位置と上側ロック位置に固定する場合について説明したが、これに限らず、例えば、複数の係止孔を所定間隔毎に配置し、昇降部７２を任意の高さ位置で固定できる構成としても良い。
【００３４】
〔プロジェクター２０の高さ調整操作〕
図８はプロジェクターの高さ調整操作を説明するための側面図である。
【００３５】
（手順１）プロジェクター２０が収納ケース１０のケース本体１２の内部の収納空間１３に収納されている。この収納状態は、プロジェクター２０を収納ケース１０の内部に収納させて運搬可能な状態である。プロジェクター２０を使用する際は、先ずケース本体１２の蓋体１８を開いて上部開口を開放する。これで、ケース本体１２に収納されたプロジェクター２０の昇降操作が可能になる。
【００３６】
（手順２）次にロック機構８０の操作ノブ８６をロック解除方向（Ｘ２方向）に引き、係止部材８２の先端８２ａを第１の係止孔７４ｃ、６２ａから離間させて昇降部７２のロックを解除する。そして、ロック機構８０の操作ノブ８６をロック解除状態のまま昇降部７２を上方（Ｚ１方向）に持ち上げる。このとき、昇降部７２は、支柱７４に嵌合するガイド部７６にガイドされて水平状態のままスムーズに上昇するため、プロジェクター２０が落下することを防止できる。昇降部７２の載置部７２ａに載置されたプロジェクター２０は、投写時の熱を外部に排出するため、排熱用開口２４をケース本体１２の上部より上方になるように高さ位置を設定する必要がある。また、把持部６０がプロジェクター２０の投写方向と重なる場合には、把持部６０をＺ２方向に降下させる。
【００３７】
（手順３）さらに、昇降部７２を上方に持ち上げ、昇降部７２がほぼ上側ロック位置（床面から高さＨ２）に達した時点で、ロック機構８０の操作ノブ８６から手を離す。すると、コイルバネ８４のバネ力により係止部材８２の先端８２ａが摺動部６２の第２の係止孔６２ｂ及び摺支柱７４の第２の係止孔７４ｄに挿通される。これで、昇降部７２は、ロック機構８０によりロックされ、投写可能な上側ロック位置（床面から高さＨ２）に固定される。そのため、昇降部７２に載置されたプロジェクター２０は、投写可能な高さ位置（上側ロック位置）に固定される。
【００３８】
このとき、プロジェクター２０は、上方に向けて投写する方式のため、収納ケース１０は、図９に示されるように、スクリーンまたは白い壁面からなる投写面１００に接近した位置に設置される。尚、本実施形態１では、収納ケース１０の上部に上昇したプロジェクター２０は、側面から投写面１００までの距離がＬ１（例えば、Ｌ１≒１２ｃｍ程度）となる位置に接近して設置される。そのため、狭いスペースでもプロジェクター２０を使用できる。
【００３９】
これにより、収納ケース１０は、ケース本体１２の上方の所定高さ位置に昇降部７２が上昇してロックされるため、従来（特許文献１）のように脚の長さを調整する作業が不要になり、使用するまでの準備操作を大幅に簡略化して、準備時間を短縮することができる。
【００４０】
（手順４）投写終了後は、再度、ロック機構８０の操作ノブ８６をＸ２方向に引き、係止部材８２の先端８２ａを第２の係止孔７４ｄ、６２ｂから離間させて昇降部７２のロックを解除する。これにより、昇降部７２及びプロジェクター２０は、Ｚ２方向に降下可能となる。そして、昇降部７２は、支柱７４に嵌合するガイド部７６にガイドされてスムーズに降下する。昇降部７２がほぼ下側ロック位置（高さＨ１の位置）に達した時点で、ロック機構８０の操作ノブ８６から手を離す。これにより、係止部材８２の先端８２ａがコイルバネ８４のバネ力により摺動部６２の第１の係止孔６２ａ及び支柱７４の第１の係止孔７４ｃに挿通されてケース本体１２内に収納される収納位置に係止される。
【００４１】
また、上記実施形態１では、昇降部７２を降下させる際の降下速度を減速させるため、ガイド部７６に摩擦抵抗（制動力）を付与する減速手段を設けても良い。この減速手段は、操作者がロック解除状態のときに誤って昇降部７２から手が離れた場合の落下による衝撃を緩和してプロジェクター２０が損傷することを防止できる。
【００４２】
〔実施形態２〕
図１０は実施形態２の昇降機構を示す背面図である。図１０（Ａ）に示されるように、実施形態２の収納ケース１０Ａは、モータ駆動方式の昇降機構２００を有する。昇降機構２００は、昇降部７２を駆動するモータ（駆動手段）２１０と、伝達機構２２０と、ロック機構８０Ａ、８０Ｂとを有する。モータ２１０は、メインバッテリー４０の上方に横架されたベース２１２の後部側中央に設置される。また、伝達機構２２０は、ボールネジ機構からなり、ボールネジの雄ねじ部２２２がモータ２１０の回転軸を形成し、垂直方向に起立している。また、雄ねじ部２２２が螺合された雌ねじ部２２４は、昇降部７２に結合されている。そのため、モータ２１０の回転駆動力が雄ねじ部２２２に伝達されると、雌ねじ部２２４を有する昇降部７２が昇降する。
【００４３】
また、昇降機構２００は、昇降部７２が収納位置（床面からの高さがＨ１の位置）に降下したことを検出する下側リミットスイッチ２３０と、昇降部７２が上昇位置（床面からの高さがＨ２の位置）に上昇したことを検出する上側リミットスイッチ２３２とを有する。
【００４４】
また、モータ２１０及び伝達機構２２０の左右両側には、一対の支柱７４Ａ、７４Ｂと、ロック機構８０Ａ、８０Ｂが設けられている。ロック機構８０Ａ、８０Ｂは、実施形態１と同様に、操作ノブ８６をＸ２方向に引くことで昇降部７２のロックを解除できると共に、操作ノブ８６をＸ１方向に戻すことで昇降部７２をロックできる。
【００４５】
図１０（Ｂ）に示されるように、メインバッテリー４０とモータ２１０とを電気的に接続するケーブルには、モータスイッチ２４０と、モータ制御部（制御手段）２５０が設けられている。このモータスイッチ２４０は、ロック機構８０Ａ、８０Ｂのロック解除操作に連動してオンに切り替わり、ロック状態になると共にオフに切り替わる。すなわち、ロック機構８０Ａ、８０Ｂの操作ノブ８６がＸ２方向に引き出させて係止部材８２の先端８２ａが支柱７４Ａ、７４Ｂの第１の係止孔７４ｃ、６２ａから離間すると共に、モータスイッチ２４０がオンに切り替わる。これにより、モータ制御部２５０は、下側リミットスイッチ２３０及びモータスイッチ２４０がオンになると、モータ２１０を正転方向に回転駆動させて伝達機構２２０を介して昇降部７２を上昇させる。
【００４６】
そして、昇降部７２が投写可能な上昇位置（上側ロック位置）に達すると、上側リミットスイッチ２３２がオンになる。モータ制御部２５０は、上側リミットスイッチ２３２からの信号によりモータ２１０への通電を停止させる。次いでロック機構８０Ａ、８０Ｂの操作ノブ８６から手を離して昇降部７２を支柱７４Ａ、７４Ｂにロック（固定）する。すなわち、ロック機構８０Ａ、８０Ｂの係止部材８２がＸ１方向に戻されて係止部材８２の先端８２ａが支柱７４Ａ、７４Ｂの第２の係止孔７４ｄ、６２ｂに挿通される。これにより、昇降部７２に載置されたプロジェクター２０は、投写可能な上昇位置（上側ロック位置）に固定される。
【００４７】
これにより、収納ケース１０は、ケース本体１２の上方の所定高さ位置に昇降部７２が上昇してロックされるため、従来（特許文献１）のように脚の長さを調整する作業が不要になり、使用するまでの準備操作を大幅に簡略化して、準備時間を短縮することができる。
【００４８】
プロジェクター２０の投写が終了し、プロジェクター２０を収納位置に降下させる際は、ロック機構８０Ａ、８０Ｂの操作ノブ８６をＸ２方向に操作してロック解除すると共に、ロック機構８０Ａ、８０Ｂに連動するモータスイッチ２４０がオンに切り替わる。これにより、モータ制御部２５０は、上側リミットスイッチ２３２及びモータスイッチ２４０がオンになると、モータ２１０を逆転方向に回転駆動させて伝達機構２２０を介して昇降部７２を上昇位置（上側ロック位置）から降下させる。そして、昇降部７２が収納位置（下側ロック位置）に降下すると、下側リミットスイッチ２３０がオンになる。モータ制御部２５０は、下側リミットスイッチ２３０からの信号によりモータ２１０への通電を停止させる。次いで、操作者は、ロック機構８０Ａ、８０Ｂの操作ノブ８６から手を離して昇降部７２を支柱７４Ａ、７４Ｂにロック（固定）する。
【００４９】
このように、昇降機構２００は、ロック機構８０Ａ、８０Ｂの操作ノブ８６を引くことでロック解除及びモータ駆動を行って昇降部７２を上昇または降下させることができる。
【００５０】
〔実施形態３〕
図１１は実施形態３の昇降機構を示す背面図である。図１１（Ａ）に示されるように、実施形態３の収納ケース１０Ｂは、気体の圧力で昇降させる空圧方式の昇降機構３００が設けられている。昇降機構３００は、昇降部７２を昇降させる一対のガススプリング（駆動手段）３１０Ａ、３１０Ｂと、ロック機構（制御手段）８０とを有する。各ガススプリング３１０Ａ、３１０Ｂは、圧縮された窒素ガスが充填されたシリンダ３１２と、ピストンロッド３１４とを有する。シリンダ３１２の下端は、ケース本体１２の底部に固定され、ピストンロッド３１４の上端は、昇降部７２に結合されている。
【００５１】
各ガススプリング３１０Ａ、３１０Ｂは、シリンダ３１２に封入されたガスの圧力によってピストンロッド３１４を上方に押し出す構成のため、駆動される昇降部７２及びプロジェクター２０の重さに応じた駆動力を発生する大きさのものが選定される。
【００５２】
図１１（Ｂ）に示されるように、各ガススプリング３１０は、内部のガス流路を開閉する弁機構３１６を有しており、当該弁機構３１６はロック機構８０に連動して開または閉に切り替わる。すなわち、ロック機構８０は、操作ノブ８６がＸ２方向に操作されると、支柱７４に対するロックが解除され、同時にガススプリング３１０Ａ、３１０Ｂの弁機構３１６が開放されてシリンダ３１２内のガスが流通可能となる。これにより、ガススプリング３１０Ａ、３１０Ｂは、ガス圧による伸張可能な状態に切り替わる。そのため、昇降部７２及びプロジェクター２０は、ガススプリング３１０Ａ、３１０Ｂの伸張動作により収納位置（図１１（Ａ）中、実線で示す）から上昇位置（図１１（Ａ）中、一点鎖線で示す）に上昇する。
【００５３】
尚、ガススプリング３１０Ａ、３１０Ｂは、シリンダ３１２内のガスの流通流量が絞られているため、昇降部７２が上昇する際、上昇速度を減速してプロジェクター２０がケース本体１２から飛び出すことを防止できる。
【００５４】
また、ロック機構８０の操作ノブ８６から手を離すと、昇降部７２が支柱７４にロック（固定）される。すなわち、ロック機構８０の係止部材８２がコイルバネ８４のばね力でＸ１方向に戻されて係止部材８２の先端８２ａが支柱７４の第２の係止孔７４ｄ、６２ｂに挿通される。これにより、昇降部７２に載置されたプロジェクター２０は、投写可能な上昇位置（上側ロック位置）に固定される。
【００５５】
これにより、収納ケース１０は、ケース本体１２の上方の所定高さ位置に昇降部７２が上昇してロックされるため、従来（特許文献１）のように脚の長さを調整する作業が不要になり、使用するまでの準備操作を大幅に簡略化して、準備時間を短縮することができる。
【００５６】
プロジェクター２０の投写が終了し、プロジェクター２０を収納位置に降下させる際は、ロック機構８０の操作ノブ８６がＸ２方向に操作してロック解除すると共に、ガススプリング３１０Ａ、３１０Ｂの弁機構３１６が開放されてシリンダ３１２内のガスが流通可能となる。この状態で、昇降部７２を下方に押圧すると、シリンダ３１２内のガスが流通すると共に、ピストンロッド３１４がシリンダ３１２内に進入して昇降部７２が降下する。尚、ガススプリング３１０Ａ、３１０Ｂは、シリンダ３１２内のガスの流通流量が絞られているため、下方に押圧された際、降下速度を減速する。
【００５７】
昇降部７２が収納位置（下側ロック位置）に降下すると、操作者は、ロック機構８０の操作ノブ８６から手を離して昇降部７２を支柱７４Ａ、７４Ｂにロック（固定）する。
【００５８】
このように、昇降機構３００は、ロック機構８０の操作ノブ８６を引くことでロック解除及びガススプリング３１０Ａ、３１０Ｂを伸縮させて昇降部７２を上昇または降下させることができる。
【符号の説明】
【００５９】
１０、１０Ａ、１０Ｂ  収納ケース
１２  ケース本体
１３  収納空間
１４  肩ベルト
１８  蓋体
２０  プロジェクター
２１  筐体
２２  投写部
２３  操作スイッチ
２４  排熱用開口
２５  接続部
３０  付属品
４０  メインバッテリー
４２  バッテリーカートリッジ
５０  車輪
６０  把持部
６２  摺動部
６２ａ、７４ｃ  第１の係止孔
６２ｂ、７４ｄ  第２の係止孔
７０、２００、３００  昇降機構
７２  昇降部
７２ａ  載置部
７２ｄ、７２ｅ  保持部
７２ｆ  第１のバネ係止部
７４、７４Ａ、７４Ｂ  支柱
７６  ガイド部
８０、８０Ａ、８０Ｂ  ロック機構
８２  係止部材
８２ａ  先端
８２ｂ  第２のバネ係止部
８４  コイルバネ（付勢部材）
８６  操作ノブ
１００  投写面
２１０  モータ（駆動手段）
２１２  ベース
２２０  伝達機構
２３０  下側リミットスイッチ
２３２  上側リミットスイッチ
２４０  モータスイッチ
２５０  モータ制御部（制御手段）
３１０  ガススプリング（駆動手段）
３１２  シリンダ
３１４  ピストンロッド
３１６  弁機構
【先行技術文献】
【特許文献】
【００６０】
【特許文献１】特開２００７−２９６２７８号公報
【図１】
2014164255.tif 000003
【図２】
2014164255.tif 000004
【図３】
2014164255.tif 000005
【図４】
2014164255.tif 000006
【図５】
2014164255.tif 000007
【図６】
2014164255.tif 000008
【図７】
2014164255.tif 000009
【図８】
2014164255.tif 000010
【図９】
2014164255.tif 000011
【図１０】
2014164255.tif 000012
【図１１】
2014164255.tif 000013